(57)【要約】  本発明は、Ｘ線差分位相コントラスト撮像のためのフォイル格子、検出器構成、対象物の位相コントラスト画像を生成するＸ線撮像システム及びフォイル格子を生成する方法に関する。高いアスペクト比を持つ格子を提供するため、Ｘ線差分位相コントラスト撮像に関するフォイル格子４０は、Ｘ線吸収物質の第１のフォイル４２と、Ｘ線吸収物質の少なくとも第２のフォイル４４とを具備する。少なくとも２つのフォイルはそれぞれ、Ｘ線透過開口部により互いに間隔を置いて配置される複数のＸ線吸収ストライプを有する。上記第１のフォイルは、第１の幅ｗ１５０を持つ第１の複数４６の第１のストライプ４８と、第１のピッチｐ１５８で周期的に構成される第１の開口部幅ｗｏ１５６を持つ第１の複数５２の第１の開口部５４とを有する。上記第２のフォイルが、第２の幅ｗ２６４を持つ第２の複数６０の第２のストライプ６２と、第２のピッチｐ２７２で周期的に構成される第２の開口部幅ｗｏ２７０を持つ第２の複数６６の第２の開口部６８とを有する。上記第２のストライプが上記第１の開口部の前に配置されるよう、上記少なくとも２つのフォイルは互いに対して変位されて構成され、その結果、Ｘ線放射線の通過のため、複数７４の結果として生じるスリット７６が、上記第１の開口部幅ｗｏ１及び上記第２の開口部幅ｗｏ２より小さいスリット幅ｗＲを具備する。上記少なくとも２つのフォイルが、互いに対して固定して取り付けられる。
2013541397.tif 000002
【特許請求の範囲】
【請求項１】
Ｘ線差分位相コントラスト撮像に関するフォイル格子であって、
Ｘ線吸収物質の第１のフォイルと、
Ｘ線吸収物質の少なくとも第２のフォイルとを有し、
前記少なくとも２つのフォイルがそれぞれ、Ｘ線透過開口部により互いに間隔を置いて配置される複数のＸ線吸収ストライプを有し、
前記第１のフォイルは、第１の幅ｗ１を持つ第１の複数の第１のストライプと、第１のピッチｐ１で周期的に構成される第１の開口部幅ｗｏ１を持つ第１の複数の第１の開口部とを有し、
前記第２のフォイルが、第２の幅ｗ２を持つ第２の複数の第２のストライプと、第２のピッチｐ２で周期的に構成される第２の開口部幅ｗｏ２を持つ第２の複数の第２の開口部とを有し、
前記第２のストライプが前記第１の開口部の前に配置されるよう、前記少なくとも２つのフォイルは互いに対して変位されて構成され、Ｘ線放射線の通過のため、複数の結果として生じるスリットが、前記第１の開口部幅ｗｏ１及び前記第２の開口部幅ｗｏ２より小さいスリット幅ｗＲを具備し、
前記少なくとも２つのフォイルが、互いに対して固定して取り付けられる、フォイル格子。
【請求項２】
前記透過的開口部が、前記複数のストライプを端部で互いに接続する円周フォイル断面により囲まれ、前記複数のストライプ及び前記円周フォイル断面は、連続的なフォイルとして提供される、請求項１に記載のフォイル格子。
【請求項３】
前記第１のピッチｐ１及び前記第２のピッチｐ２が等しく、前記変位のオフセットは、前記ピッチｐ１、ｐ２の半分である、請求項１又は２に記載のフォイル格子。
【請求項４】
各フォイルに関して、前記ストライプの幅ｗ１、ｗ２が、前記開口部幅ｗｏ１、ｗｏ２より小さい、請求項１乃至３の一項に記載のフォイル格子。
【請求項５】
第１及び第２の開口部が少なくとも部分的に覆われるよう、前記第２のストライプが、前記第１の開口部の前に配置される、請求項１乃至４の一項に記載のフォイル格子。
【請求項６】
第１の開口部が、前記第２のストライプの１つにより２つのスリットに分けられるよう、前記第２のストライプが、前記第１の開口部の前に配置される、請求項１乃至５の一項に記載のフォイル格子。
【請求項７】
第１及び第２の開口部が少なくとも部分的に覆われるよう、前記第２のストライプが、前記第１の開口部の前に配置される、請求項１乃至５の一項に記載のフォイル格子。
【請求項８】
前記第１及び／又は第２のストライプが、非線形形式を持ち、前記第１及び第２の開口部は、断面開口部幅ｗｓｏを持つ異なる断面を備える非線形形式を持ち、
前記少なくとも２つのフォイルの変位が、結果として生じる断面開口幅ｗｓｏｒを持つ開口部をもたらし、この幅は、前記第１及び第２の開口部の個別の断面開口幅ｗｓｏより小さい、請求項１乃至７の一項に記載のフォイル格子。
【請求項９】
複数の第１及び第２のフォイルが、提供され、交互の態様でスタックされる、請求項１乃至８の一項に記載のフォイル格子。
【請求項１０】
前記結果として生じるスリットの断面が異なるファンビーム角度に対して適合されるよう適合されたピッチ及び開口幅でスタックされる態様で、複数のフォイルが提供及び構成される、請求項１乃至９の一項に記載のフォイル格子。
【請求項１１】
対象物の位相コントラスト画像を生成するＸ線システムの検出器構成であって、
源格子と、
位相格子と、
アナライザ格子と、
センサを持つ検出器とを有し、
前記源格子が、Ｘ線の多色スペクトルのＸ線ビームを分割するよう構成され、前記位相格子は、アナライザ平面において前記分割されたビームを再結合するよう構成され、前記格子の１つが、前記アナライザ格子の１つの期間にわたり横断方向にステップ状に移動されるよう構成され、
前記アナライザ格子の１つの期間にわたり横断方向にステップ状に移動される間、前記センサは、raw画像データを記録するよう構成され、
前記格子のうちの少なくとも１つが、請求項１乃至１０の一項に記載のフォイル格子である、検出器構成。
【請求項１２】
前記源格子が、請求項１乃至１０の一項に記載のフォイル格子である、請求項１１に記載の検出器構成。
【請求項１３】
対象物の位相コントラストデータを生成するＸ線撮像システムであって、
Ｘ線の多色スペクトルのビームを生成するＸ線源と、
対象物のraw画像データを提供するＸ線検出器ユニットと、
前記Ｘ線源を制御し、画像データを生成するため、前記raw画像データを計算する処理ユニットと、
前記計算された画像データを表示するディスプレイとを有し、
前記Ｘ線検出器ユニットが、請求項１１又は１２の一項に記載の検出器構成を有する、Ｘ線撮像システム。
【請求項１４】
Ｘ線差分位相コントラスト撮像に関するフォイル格子を生成する方法において、
ａ）Ｘ線吸収物質の第１のフォイルを提供し、第１のピッチｐ１で周期的に構成される第１の開口部幅ｗｏ１を持つ第１の複数の第１のＸ線透過開口部を適用するステップであって、前記第１の開口部により互いに間隔を置いて配置される第１の幅ｗ１を持つ第１の複数の第１のＸ線吸収ストライプが実現される、ステップと、
ｂ）Ｘ線吸収物質の第２のフォイルを提供し、第２のピッチｐ２で周期的に構成される第２の開口部幅ｗｏ２を持つ第２の複数の第２のＸ線透過開口部を適用するステップであって、前記第２の開口部により互いに間隔を置いて配置される第２の幅ｗ２を持つ第２の複数の第２のストライプが実現される、ステップと、
ｃ）前記第２のストライプが、前記第１の開口部の前に配置されるよう、前記少なくとも２つのフォイルを互いに対して変位させて配置するステップであって、Ｘ線放射線の通過のため、複数の結果として生じるスリットが、前記第１の開口幅ｗｏ１及び前記第２の開口部幅ｗｏ２より小さいスリット幅ｗＲを具備する、ステップと、
ｄ）フォイル格子を提供する前記少なくとも２つのフォイルを互いに対して取り付けるステップとを有する、方法。
【請求項１５】
前記配置するステップに関して、前記フォイルが、前記結果として生じるスリットを持つ領域の外側に提供される整列マーカーを用いて互いに整列配置される、請求項１４に記載の方法。
【発明の詳細な説明】
【技術分野】
【０００１】
本発明は、Ｘ線差分位相コントラスト撮像のための格子、検出器構成、対象物の位相コントラスト画像を生成するＸ線撮像システム及び格子を生成する方法に関する。
【背景技術】
【０００２】
Ｘ線を用いる位相コントラスト撮像は、例えば、従来の振幅コントラスト画像と比較して、低い吸収標本のコントラストを強調するために用いられる。これは、例えば患者といった対象物に適用されるより少ない放射線を用いることを可能にする。位相コントラスト撮像に関連して、波の位相を用いることが可能であるよう、波は、時間及び空間の両方においてうまく規定された位相関係を持つことを必要とする。時間的コヒーレンスは、モノクロのＸ線放射線を適用することにより提供されることができる。ＷＯ２００４／０７１２９８Ａ１号において、位相コントラストＸ線撮像を生成する装置は、光学経路において、インコヒーレントＸ線源、第１のビームスプリッタ格子、第２のビーム再結合器格子、光学アナライザ格子及び画像検出器を有する。
【発明の概要】
【発明が解決しようとする課題】
【０００３】
差分位相コントラスト撮像（ＤＰＣ）において、より高いＸ線エネルギーを用いるため、高いアスペクト比を持つ格子が必要とされる。
【０００４】
従って、高いアスペクト比を持つ格子を提供する必要性が存在する。
【課題を解決するための手段】
【０００５】
本発明の目的は、独立請求項の主題により解決される。更なる実施形態は、従属項に含まれる。
【０００６】
本発明の以下に説明される側面は、フォイル格子、検出器構成、Ｘ線撮像システム及び方法にも適用される点に留意されたい。
【０００７】
本発明の例示的な実施形態によれば、Ｘ線差分位相コントラスト撮像に関するフォイル格子が提供され、このフォイル格子は、Ｘ線吸収物質の第１のフォイルと、Ｘ線吸収物質の少なくとも第２のフォイルとを有する。上記少なくとも２つのフォイルがそれぞれ、Ｘ線透過開口部により互いに間隔を置いて配置される複数のＸ線吸収ストライプを有する。上記第１のフォイルは、第１の幅ｗ１を持つ第１の複数の第１のストライプと、第１のピッチｐ１で周期的に構成される第１の開口部幅ｗｏ１を持つ第１の複数の第１の開口部とを有する。上記第２のフォイルが、第２の幅ｗ２を持つ第２の複数の第２のストライプと、第２のピッチｐ２で周期的に構成される第２の開口部幅ｗｏ２を持つ第２の複数の第２の開口部とを有する。上記第２のストライプが上記第１の開口部の前に配置されるよう、上記少なくとも２つのフォイルは互いに対して変位されて構成され、その結果、Ｘ線放射線の通過のため、複数の結果として生じるスリットが、上記第１及び上記第２の開口部幅より小さいスリット幅ｗＲを具備する。上記少なくとも２つのフォイルが、互いに対して固定して取り付けられる。
【０００８】
本発明のコンテキストにおいて、用語「フォイル」は、その広がりと比較して小さな厚みを持つ物質に関する。用語「フォイル」は、柔軟な物質、即ち少なくとも１つの方向において曲げられることができる物質だけでなく、他の任意の物質のパネル又はシートを含む。
【０００９】
本発明の更なる例示的な実施形態によれば、上記透過的開口部が、上記複数のストライプを端部で互いに接続する円周フォイル断面により囲まれ、上記複数のストライプ及び上記円周フォイル断面は、連続的なフォイルとして提供される。
【００１０】
更なる例示的な実施形態によれば、対象物の位相コントラスト画像を生成するＸ線システムの検出器構成が提供され、この構成は、源格子と、位相格子と、アナライザ格子と、センサを持つ検出器とを有する。上記源格子が、Ｘ線の多色のスペクトルのＸ線ビームを分割するよう構成される。上記位相格子は、アナライザ平面において上記分割されたビームを再結合するよう構成される。上記格子の１つ、例えば上記アナライザ格子が、上記アナライザ格子の１つの期間にわたり横断方向にステップ状に移動されるよう構成される。上記アナライザ格子の１つの期間にわたり横断方向にステップ状に移動される間、上記センサは、raw画像データを記録するよう構成される。上記格子のうちの少なくとも１つが、上述した例示的な実施形態に記載のフォイル格子である。
【００１１】
本発明の更なる例示的な実施形態によれば、対象物の位相コントラストデータを生成するＸ線撮像システムが、Ｘ線の多色スペクトルのビームを生成するＸ線源と、対象物のraw画像データを提供するＸ線検出器ユニットと、上記Ｘ線源を制御し、画像データを生成するため、上記raw画像データを計算する処理ユニットと、上記計算された画像データを表示するディスプレイとを具備する。上記Ｘ線検出器ユニットが、上述した実施形態の１つに記載の検出器構成を有する。
【００１２】
本発明の更に別の側面によれば、Ｘ線差分位相コントラスト撮像に関するフォイル格子を生成する方法が、ａ）Ｘ線吸収物質の第１のフォイルを提供し、第１のピッチｐ１で周期的に構成される第１の開口部幅ｗｏ１を持つ第１の複数の第１のＸ線透過開口部を適用するステップであって、上記第１の開口部により互いに間隔を置いて配置される第１の幅ｗ１を持つ第１の複数の第１のＸ線吸収ストライプが実現される、ステップと、ｂ）Ｘ線吸収物質の第２のフォイルを提供し、第２のピッチｐ２で周期的に構成される第２の開口部幅ｗｏ２を持つ第２の複数の第２のＸ線透過開口部を適用するステップであって、上記第２の開口部により互いに間隔を置いて配置される第２の幅ｗ２を持つ第２の複数の第２のストライプが実現される、ステップと、ｃ）上記第２のストライプが、上記第１の開口部の前に配置されるよう、上記少なくとも２つのフォイルを互いに対して変位させて配置するステップであって、Ｘ線放射線の通過のため、複数の結果として生じるスリットが、上記第１及び上記第２の開口部幅より小さいスリット幅ｗＲを具備する、ステップと、ｄ）フォイル格子を提供する上記少なくとも２つのフォイルを互いに対して取り付けるステップとを有する。
【００１３】
本発明の主旨は、フォイル自体において提供されることができる最小幅より小さな幅を持つスリットが提供されるよう変位された態様で少なくとも２つのフォイルを構成することにより、できるだけ小さく生成される開口部を持つフォイルを提供することである。開口部幅に対して特定の関係にある開口部及びフォイルを提供するとき、残りのストライプを適合させることにより、結果として生じるスリット幅は、特定のニーズに対して適合されることができる。
【図面の簡単な説明】
【００１４】
【図１】Ｘ線システムの例を概略的に示す図である。
【図２】位相コントラスト撮像に関するＸ線システムの検出器構成を概略的に示す図である。
【図３ａ】本発明によるフォイル格子の第１の実施形態を概略的に示す図である。
【図３ｂ】本発明によるフォイル格子の第１の実施形態を概略的に示す図である。
【図３ｃ】本発明によるフォイル格子の第１の実施形態を概略的に示す図である。
【図４ａ】本発明によるフォイル格子の更なる実施形態を断面において概略的に示す図である。
【図４ｂ】本発明によるフォイル格子の更なる実施形態を断面において概略的に示す図である。
【図５】本発明によるフォイル格子を生成する方法の基本的なステップを概略的に示す図である。
【図６】図５による方法の更なる実施形態を概略的に示す図である。
【発明を実施するための形態】
【００１５】
本発明のこれら及び他の側面は、本書において述べられる実施形態から明らかとなり、及び実施形態を参照して説明されることになる。
【００１６】
本発明の例示的な実施形態が、以下の図面を参照して以下に説明されることになる。
【００１７】
図１は、対象物の位相コントラスト画像を生成する検査装置を持つＸ線撮像システム１０を概略的に示す。検査装置は、従来のＸ線源を用いてＸ線放射線ビームを生成するために提供されるＸ線放射線の源１２を持つＸ線像取得デバイスを有する。テーブル１４は、例えば患者といった検査される対象物を受けるために提供される。
【００１８】
更に、本発明によるＸ線検出器ユニット１６は基本的に、Ｘ線放射線の源１２の反対側に配置される（詳細な説明は下記参照）。即ち、放射手順の間、対象物は、Ｘ線放射線の源１２及び検出器ユニット１６の間に配置される。後者は、検出器ユニット１６及び放射線源１２に接続される処理ユニット１８へとデータを送信する。処理ユニット１８は、検査室における空間をセーブするため、テーブル１４の下に配置される。もちろん、処理ユニットは、例えば異なる部屋といった異なる場所に配置されることもできる。更に、ディスプレイ２０が、例えば計算された画像データといった情報をＸ線撮像システムを作動させている人に表示するため、テーブル１４の近くに構成される。更に、ユーザによる情報の入力のためのインターフェースユニット２２が構成される。示される例は、いわゆるＣタイプＸ線像取得デバイスである点に留意されたい。Ｘ線像取得デバイスは、Ｃの形のアームを有し、そこでは、画像検出器が、Ｃアームの１つの端部に構成され、Ｘ線放射線の源１２が、Ｃアームの対向する端部に配置される。Ｃアームは、可動に取り付けられ、テーブル１４上に配置される関心対象物の周りを回転することができる。言い換えると、異なる表示方向を持つ画像を取得することが可能である。
【００１９】
Ｘ線像取得デバイスの他の形式も可能であり、例えば、ガントリーが、Ｘ線源及び検出器の回転するペアを持つことも可能である点に更に留意されたい。
【００２０】
好ましい実施形態によれば、本発明の主題は、マンモグラフィに対して用いられる。マンモグラフィでは、高い空間分解能への必要性だけでなく、より低いエネルギー及びそれほど高くない強度への必要性が存在する。しかしながら、本発明は、Ｃアーム及びＣＴ検査にも適している。
【００２１】
図２は、対象物２６の位相コントラスト画像を生成するＸ線システムの検出器構成２４を概略的に示す。例えば図２に示されるような患者又はサンプルといった対象物２６が、源格子２８及び位相格子３０の間に構成される。アナライザ格子３２は、位相格子３０の後に構成される。更に、センサ３４を持つ検出器が、アナライザ格子３２の後に提供される。
【００２２】
Ｃアームの場合、源格子は、源が配置されるＣアームの反対側に構成される。他の格子は、反対側に構成される。即ち、他の側において、対象物がＣアームの２つの端部の間に、及び従って源格子及び位相格子の間に構成される。
【００２３】
対象物２６の検査のため、多色スペクトルのＸ線ビーム３６が、従来のＸ線源３８により提供される。コヒーレントなＸ線放射線が提供されるよう、Ｘ線放射線ビーム３６は、Ｘ線放射線を分割する源格子２８に適用される。参照符号３９で示される分割されたビームは、アナライザ平面において分割されたビームを再結合する位相格子３０に適用される。位相格子３０の後で分割されたビームを再結合した後、再結合されたビームは、アナライザ格子３６に適用される。最終的に、格子の１つが、図示される例ではアナライザ格子３２だが、アナライザ格子３２の１つの期間にわたり横断方向にステップ状に移動される間、センサ３４はraw画像データを記録する。格子２８、３０又は３２の少なくとも１つの構成が、以下に説明されるような本発明のフォイル格子を有する。本発明によるフォイル格子が、源格子２８に関して特に有益である点に留意されたい。
【００２４】
しかしながら、アナライザ格子のステッピングが必要であると上述したが、更なる側面によれば、３つの格子のいずれかの運動で十分であり、及び従って、アナライザ格子に限定されるものではない点に留意されたい。
【００２５】
更なる側面によれば、本発明によるフォイル格子は、特別な測定方法を用いて静的なセットアップで用いられることもできる。従って、本発明のフォイル格子は、すべて実際の及びすべて将来のＰＣＩセットアップに対して用いられる。
【００２６】
図３ａ〜ｃにおいて、フォイル格子の第１の実施形態が示される。図３ａは、互いに対して２つのフォイルを取り付ける前の第１及び第２のフォイルをいわゆる分解斜視図で示す。図３ｂは、互いに対して取り付けられる２つのフォイルの平面図を示し、図３ｃは、図３ｂの取り付けられたフォイルの断面を示す。
【００２７】
図３ａは、Ｘ線差分位相コントラスト撮像に関するフォイル格子４０を示し、Ｘ線吸収物質の第１のフォイル４２とＸ線吸収物質の少なくとも第２のフォイル４４とを有する。第１のフォイル４２は、第１の幅ｗ１５０の第１のストライプ４８ａ，ｂ，ｃ...の第１の複数４６と、第１のピッチｐ１５８で周期的に構成される第１の開口部幅ｗｏ１５６の第１の開口部５４ａ，ｂ，ｃ...の第１の複数５２とを有する。第１のストライプは、Ｘ線吸収である。なぜなら、それらはフォイル物質から作られるからである。第１の開口部５４は、Ｘ線透過である。
【００２８】
第２のフォイルは、第２の幅ｗ２６４の第２のストライプ６２ａ，ｂ，ｃ...の第２の複数６０と、第２のピッチｐ２７２で周期的に構成される第２の開口部幅ｗｏ２７０の第２の開口部６８ａ，ｂ，ｃ...の第２の複数６６とを有する。第２のストライプも、Ｘ線吸収である。第２の開口部６８も、Ｘ線透過である。
【００２９】
フォイル格子４０を提供するため、第２のストライプが第１の開口部の前に配置されるよう、少なくとも２つのフォイル４２及び４４が、互いに対して変位させられて構成される。その結果、Ｘ線放射線の通過に関して、結果として生じるスリット７６ａ，ｂ，ｃ...の複数７４が、第１及び第２の開口部幅より小さいスリット幅ｗＲ７８を具備する。この２つのフォイル４２、４４の結合は、２つの矢印７９で示される。少なくとも２つのフォイルは、例えば接着により、互いに対して固定して取り付けられる。
【００３０】
フォイル格子４０の取り付けられた状態は、図３ｂに示される。より好適な理解のため、結果として生じるスリット７６は、ハッチングされた態様で示される。
【００３１】
図３ｃは、第１及び第２のフォイル４２、４４を有するフォイル格子の断面を示す。
【００３２】
本発明の側面によれば、フォイルは、金属フォイルとすることができる。
【００３３】
更なる側面によれば、透過的開口部は、それらの端部で複数のストライプを互いに接続する円周フォイル断面８０により囲まれる。これは、製造プロセスにおけるより簡単な処理を提供する。
【００３４】
図３に示されるように、好ましい例示的な実施形態によれば、複数のストライプ及び円周フォイル断面は、連続的なフォイルとして提供される。即ち、開口部が構成される一体成形フォイルとして提供される。
【００３５】
更なる側面によれば、アセンブリステップの間、改良された精度のため、整列マーカー８１は、この領域の外側で、結果として生じるスリットを具備する。
【００３６】
更なる側面によれば、整列ピン及び穴を持つフォイルが、正確に取り付けるための追加的なツールの使用と共に提供される。
【００３７】
更なる側面によれば、第１のピッチｐ１及び第２のピッチｐ２は等しい。
【００３８】
更なる側面によれば、変位のオフセットは、ピッチｐ１、ｐ２の半分である。
【００３９】
ここに示される例において、第１のピッチｐ１及び第２のピッチｐ２は等しく、変位のオフセットは、このピッチの半分として示される。
【００４０】
更なる側面によれば、各フォイルに関して、ストライプの幅は、開口部幅より小さい。これにより、より大きな開口部は、２つの結果として生じるスリットにそれぞれ分けられることができる。
【００４１】
もちろん、開口部幅と同じ幅を持つストライプを提供することも可能である。わずかな横方向の変位により、開口部幅を部分的に覆うことが可能である。その結果、同じ数の結果として生じるスリットが実現されるが、より小さな開口部幅を持つ。
【００４２】
更なる例示的な実施形態（図示省略）によれば、各第１及び第２の開口部が少なくとも部分的に覆われるよう、第２のストライプは、第１の開口部の前に配置される。
【００４３】
更なる例示的な実施形態（図示省略）によれば、各第１及び第２の開口部が少なくとも部分的に覆われるよう、第２のストライプは、第１の開口部の前に配置される。
【００４４】
更なる例示的な実施形態（図示省略）によれば、第１及び／又は第２のストライプは非線形形式を持ち、第１及び第２の開口部は、断面開口部幅ｗｓｏを持つ異なる断面を備える非線形形式を持つ。少なくとも２つのフォイルの変位は、結果として生じる断面開口幅ｗｓｏｒを持つ開口部をもたらす。これは、第１及び第２の開口部の個別の断面開口幅ｗｓｏより小さい。
【００４５】
例えば、スリットは、Ｌ字形式を持つことができ、スリットは、フォイルにわたり２つの方向において一定のピッチにおいて繰り返される。変位により、１つ又は２つの方向においてより小さな幅を持つＬ断面を備える、結果として生じるスリットを実現することが可能である。
【００４６】
図３ｃに示される例において、結果として生じるスリットの参照符号８２で示される断面は、方形状である。その結果、参照符号８４で示されるスルー方向は、フォイルの広がり方向に対して垂直である。
【００４７】
本発明の更に別の側面によれば、複数の第１及び第２のフォイルが提供され、交互の態様（図示省略）においてスタックされる。従って、結果として生じる同じスリットサイズが実現されつつ、より高い吸収因子が提供されることができる。
【００４８】
更なる例示的な実施形態によれば、結果として生じるスリットの図４における参照符号１８２で示される断面が、参照符号１８４により示される異なるファンビーム角度に対して適合されるよう適合されたピッチ及び開口幅でスタックされる態様で、複数のフォイルが提供及び構成される。
【００４９】
図４ａにおいて、フォイルの広がり方向と比較して、傾斜したスルー方向を具備する複数の結果として生じるスリット１７６を有する複数のフォイル１４２が示される。図４ａにおいて、すべての結果として生じるスリット１７６は、角度αで示される同一角度の傾斜を持つ。ここに示される例では、結果として生じる開口部の断面は、平行四辺形の形式を持つ。フォイルは、同じピッチを持つ類似する開口部／開口部幅及びスリット幅を具備する。それらは、ピッチの半分より大きな値で変位させられる。
【００５０】
図４ｂにおいて、ファン状の態様でビームに関する貫通開口部を提供するよう適合される複数の結果として生じるスリット２７６を有する複数のフォイル２４２が示される。このファン状の態様は、鎖点入りの中心線２８４で示され、それぞれ、フォイルの広がりに対して増加する及び減少する角度を持つ。
【００５１】
更なる側面によれば、貫通開口部は、方形形状の代わりに台形形状又は三角形等を持つ。
【００５２】
これにより、ビームの通過方向は、変化されることができる。ここに示される例では、結果として生じる開口部の断面は、平行四辺形の異なる形式を持つ。フォイルは、異なる開口部幅及びピッチを具備する。ストライプは、類似する幅を持つ。
【００５３】
更なる側面によれば、結果として生じるスリット自体は、放射線方向において増加又は減少する断面を持つ台形の形式を持つ。これにより、進んでいる放射線（図示省略）に対して更に影響を与えることが可能にされる。
【００５４】
更に、Ｘ線差分位相コントラスト撮像に関するフォイル格子を生成する方法１００が提供される。この基本的なステップは、図５に示され、以下のステップを有する。
【００５５】
ａ）第１の提供ステップ１１０において、Ｘ線吸収物質の第１のフォイル１１２が提供され、適用ステップ１１４において、第１の開口部幅ｗｏ１を持つ第１の複数の第１のＸ線透過開口部１１６が適用される。この透過的開口部は、第１のピッチｐ１で周期的に構成される。その結果、第１の幅ｗ１を持ち、第１の開口部により互いに間隔を置いて配置される、第１の複数の第１のＸ線吸収ストライプが実現される。
【００５６】
ｂ）更なる提供ステップ１２０において、Ｘ線吸収物質の第２のフォイル１２２が提供され、更なる適用ステップ１２４において、第２の開口部幅ｗｏ２を持つ第２の複数の第２のＸ線透過開口部１２６が適用される。この透過的開口部は、第２のピッチｐ２で周期的に構成される。その結果、第２の幅ｗ２を持ち、第２の開口部により互いに間隔を置いて配置される、第２の複数の第２のストライプが実現される。
【００５７】
c)配置ステップ１３０において、第２のストライプが第１の開口部の前に配置されるよう、少なくとも２つのフォイルが、互いに対して変位されて配置される。その結果、Ｘ線放射線の通過のため、複数の結果として生じるスリット１３２が、第１及び第２の開口部幅より小さいスリット幅ｗＲを具備する。
【００５８】
d)取付けステップ１３４において、フォイル格子１３６を提供する少なくとも２つのフォイルが、互いに対して取り付けられる。
【００５９】
例えば、フォイルが金属フォイルであるとき、開口部は、レーザーダイシング及び／又は穿設又は金属エッチングにより適用される。
【００６０】
少なくとも２つのフォイルを取り付けるため、好ましい例として、フォイルは、互いに接着される。
【００６１】
更なる側面によれば、フォイルは、非平面態様において互いに取り付けられ、例えば湾曲したジオメトリで取り付けられる。従って、格子を曲げることにより、焦束された開口部に対する代替案が提供される。
【００６２】
図６に示されるように、本発明の更に別の側面によれば、配置のため、フォイルは、結果として生じるスリットを持つ領域の外側に提供される整列マーカーを用いて、整列ステップ１３８において、互いに整列配置される。
【００６３】
本発明の更に別の側面によれば、ガイド支援は、接着手順（図示省略）の間、整列のために提供される。
【００６４】
本発明の実施形態が異なる主題を参照して記載される点に留意されたい。特に、ある実施形態は、方法タイプの請求項を参照して説明されるが、他の実施形態は、装置タイプの請求項を参照して説明される。しかしながら、当業者であれば、他の記載がない限り、あるタイプの主題に属する特徴の任意の組合せに加えて、異なる主題に関する特徴の任意の組合せが、本願に開示されると考えられる点を上記又は下記の説明から推察するであろう。しかしながら、すべての特徴は、これらの特徴の単純な合計より多くの共同効果を提供する態様で、結合されることができる。
【００６５】
請求項において、単語「有する」は他の要素又はステップを除外するものではなく、不定冠詞「ａ」又は「ａｎ」は複数性を除外するものではない。単一のプロセッサ又は他のユニットが、請求項に記載される複数のアイテムの機能を満たすことができる。特定の手段が相互に異なる従属項に記載されるという単なる事実は、これらの手段の組み合わせが有利に使用されることができないことを意味するものではない。
【図１】
2013541397.tif 000003
【図２】
2013541397.tif 000004
【図３ａ】
2013541397.tif 000005
【図３ｂ】
2013541397.tif 000006
【図３ｃ】
2013541397.tif 000007
【図４ａ】
2013541397.tif 000008
【図４ｂ】
2013541397.tif 000009
【図５】
2013541397.tif 000010
【図６】
2013541397.tif 000011
【国際調査報告】
2013541397.tif 000012
2013541397.tif 000013
2013541397.tif 000014